【事件の表示】
　特願２００４−２８２９１７「デジタル・ビデオに電子透かしを入れる方法」拒絶査定不服審判事件〔平成１７年　４月２１日出願公開、特開２００５−１１０２７０〕について、次のとおり審決する。
【結　論】
　本件審判の請求は、成り立たない。
【理　由】
１．手続の経緯
　本願は、平成１６年９月２９日の出願（優先権主張２００３年９月２９日、米国）であって、平成２２年１０月２７日付(起案日)で拒絶の理由が通知され、平成２３年４月２８日付で意見書及び手続補正書が提出されたものの、平成２４年１月３０日付(起案日)で拒絶査定がなされたものである。　
　本件は、上記拒絶査定を不服として平成２４年６月６日に請求された拒絶査定不服審判であって、当審において、平成２５年４月１５日付(起案日)で拒絶の理由が通知され、平成２５年１０月１８日付で意見書及び手続補正書が提出されている。　
　
２．本願発明
　本願の請求項１〜３３に係る発明は、平成２３年４月２８日付、及び、平成２５年１０月１８日付手続補正書で補正された明細書、特許請求の範囲及び図面の記載からみて、それぞれ、その特許請求の範囲の請求項１〜３３に記載されたとおりのものと認められるところ、その請求項１に係る発明は請求項１に記載された次のとおりである。（以下「本願発明」という。）　
　
「【請求項１】
　ビデオ信号に電子透かしを入れてそこに追加情報を含める方法であって、追加情報を含むビデオ信号において、前記ビデオ信号のブロック全体にわたるクロミナンス部分の平均から導き出した値の少なくとも１つの選択されたビット位置に、前記追加情報の少なくとも一部を入れることにより、前記ビデオ信号のクロミナンス部分に前記追加情報の少なくとも一部を刻印する工程を備える方法。」
　
３．引用刊行物
３．１．引用例１
３．１．１．引用例１の記載事項
　当審における平成２５年４月１５日付の拒絶の理由で引用した『松井甲子雄「電子透かしの基礎　−マルチメディアのニュープロテクト技術−」1998.08.21発行、森北出版、第１版第１刷、p.13〜15, 57〜60, 100〜113, 132〜145』(以下「引用例１」という。)には、図面とともに以下の記載がある。
　
「１．４　電子透かしの分類　
　ステガノグラフィに関する研究論文を分類してみると，大きく分けて代入法，選択法，構成法の３種類になる．電子透かしも本質的にはステガノグラフィと同じであるのでその分類に従って，それぞれの概要を述べる．　
　
（１）代入法　
　電子透かしの基本は，デジタルメディアのノイズ成分を，秘密の符号やロゴマークなどの識別可能な情報でおきかえることである。すなわち，代入法(substitute steganography)はこのノイズレベルに透かし情報を代替として設定する方法である．このためには，受け皿としての電子メディアは十分に冗長性に富み，かつある程度のノイズ性をもつデータからなることが必要である．通常，メディアを画像とした場合，各画素の最下位のビットプレーンはランダム性を示すデータからなっているので，この代入法を容易に適用できる．　
　しかし，画像や音声の量子化データは，一般にそのまま利用されず，データ圧縮されることが多い．このとき，ノイズ成分に相当する下位ビット情報は，圧縮操作の対象となり，そこに埋め込まれている透かし情報は必然的に消去される可能性が生まれてくる．これが代入法の弱点である．　
　この弱点を補うために，量子化データの中間層のビットプレーンに透かし情報を埋め込む方法も考えられている．この場合，データ圧縮の処理によって透かし情報が消失するのを防ぐことができるが，画質や音質に与える影響も増大する．したがって，透かしビットの埋込み位置とその量をよく考慮してその場所を決定することが大切であろう．　
　
（２）選択法　
　マルチメディアを扱うコンテンツは多量のデータから構成されている．しかも，同じような画像フレームが連続して現れたり，また音声波形も類似したものが続くことが多い．このような連続的に類似現象が出現するコンテンツに対して，透かし情報を密かに紛れ込ませても，ユーザーには気づかれにくい．そこで，できるだけ自然な形に沿うように紛れこませる方法が考えられている．１枚の画像フレームに対しても類似した走査画素の中に透かしビットを挿入する方法も提案されている． これらの方法は，前後左右のフレームや周囲画素ととくに目立たないように離散的に選んだ特定位置にのみ透かし情報を埋め込むもので選択法(selective steganography)と呼ばれている．　
　この選択法のポイントは， どこに埋め込むかを鍵で指定することにある．復号時に埋込み位置を確定できないと透かし情報を得られず，役に立たなくなる．一方，あまりに幼稚な隠匿工作では，第三者の攻撃を受けることにもなる．そこで，必然的に公開鍵暗号のように一方通行関数の性質を用いた鍵で分散配置することが考えられている．また，マルチメディアに直交関数系の変換を施し，その周波数スペクトルに選択法の考え方を適用する例も多く見られる．透かし情報を選択的に埋込み後，逆変換を施すと，前述の代入法のように，ノイズレベルに擬装した透かしビットが画面全域に拡散される効果が得られるからである．　
　
（３）構成法　
　透かしの対象となるマルチメディアの量子化ノイズに注目し，その統計的な性質を調べると新しいノイズモデルを作為的に構成することができる．そのような擬似ノイズモデルを利用して透かしのサインを埋め込む方法を構成法(constructive steganography)とよんでいる．ノイズモデルをつくるためには，多くのコンテンツに対してデータを詳細に検討し，ソースデータとノイズ分布に関する正確な知識を得なければならない．この作業は労多くして果報の少ないことが多く，たいへんに難しい仕事である．より多くのデータと時間を費やして，初めてデータに見合うノイズモデルを開発することができる．しかし，実際に透かし情報を埋め込んでみると，モデルのバランスが崩れ，秘匿したはずのものがわずかの処理で簡単に浮上して見えてしまいセキュリティの向上につながらないことがある．また，ノイズモデルをつくることは透かしのアルゴリズムの一環であり，アルゴリズムを秘密にすると幅広い運用に支障をきたし，公開すれば第三者に簡単に攻撃の糸口を与えてしまう．このように構成法には多くの問題点があるが，代入法や選択法と異なってコンテンツの全域にわたって透かし情報を分散配置できるためコンテンツの部分的な切り抜き(clipping)などにも頑健に耐えることができる特徴がある．　
　一方，マルチメディアの符号化に当たり，画像フレームから絵を構成する概形を切り出してデータ圧縮する研究が始まっている．この方法はモデルに基づく符号化法(model-based coding)とよばれ， ＭＰＥＧ−４に採用されている．この画像フレームから抽出したコンテンツの一部分を透かし信号に従って削除，変形，追加などの再編集を行なうことが提案されている１１４）．このモデルそのものを偽造する企図も動画像を対象とした構成法的な電子透かしの分類に入るものであろう．」(第１３〜１５頁)　
 『３．３．２ 周波数領域における量子化誤差の利用　
　予測符号化における予測誤差信号を量子化する際に情報が非保存となる性質を利用して，圧縮された画像データに透かし情報を埋込み可能であることを述べた．これは実画像領域における処理であるが，それによく似た方法が画像の周波数領域においてもデータの圧縮の際に実行できることを紹介しよう．　
　
（１） 離散コサイン変換の考え方　
　離散コサイン変換(discrete cosine transform : DCT)は画像信号を空間周波数に直交変換する一つの方法である．その基本的な処理の流れを図３．１７に示す．まず，入力画像を８×８画素のＰ（ｍ，ｎ）　ｍ，ｎ＝０，１，・・・，７の小ブロックに分ける．そして，この画素値集合Ｐ（ｍ，ｎ）に対してつぎの変換を行う．
 この変換を二次元ＤＣＴという．ここに，
　である．このＤＣＴを画像の各ブロックに適用する．その結果，ブロックごとに（ｕ，ｖ）平面上８×８画素の出力Ｓ（ｕ，ｖ）が得られる． とくにＳ（０，０）を直流（ＤＣ）成分，それ以外の６３個のＳ（ｕ，ｖ）を交流（ＡＣ）成分とよんでいる．ＤＣ成分は画像の明るさを表しており，また，ＡＣ成分は画像の変化模様を表し，ｕまたはｖの値が大きいほど高い空間周波数成分になっている．　
　図３．１７からわかるように二次元ＤＣＴで得られた空間周波数成分Ｓ（ｕ，ｖ）は広い範囲に広がって分布しているため，そのまま保存（または伝送）したのではデータ量を削減できない．そこで，通常，量子化操作によってデータを圧縮する．各ＤＣＴ係数Ｓ（ｕ，ｖ）が表３．２の量子化テーブルに示す対応するステップサイズＱ（ｕ，ｖ）（ｕ，ｖ＝０，１，・・・，７）の何倍であるかを四捨五入した整数値で求める．その値をもって量子化データＲ（ｕ，ｖ）（ｕ，ｖ＝０，１，・・・，７）とするのである．すなわち，まるめ（ｒｏｕｎｄ）関数を用いて
　この方法は，ＤＣＴ係数の大小に依存せず一定のステップサイズを用いているので，一様量子化ともよんでいる．表３．２より量子化ステップサイズは空間周波数が高いほど大きくなり粗い量子化となっている．これは高い空間周波数（すなわち，微細にわたる画像の変化分）のひずみほど人間の目には知覚されにくいという視覚特性を利用している．このデータ圧縮方式では量子化誤差が導入されるので，原画像と同一の再生画像を復元することはできない．いわゆる情報非保存型の変換であることに注目する．
（２）透かし情報の埋込み　
　ｒｏｕｎｄ関数は式（３．１３）におけるＳ（ｕ，ｖ）／Ｑ（ｕ，ｖ）の除算結果が実数値となるものを四捨五入則によって近隣の整数値にまるめている．このとき，Ｑ（ｕ，ｖ）のステップサイズによってはかなり大きな誤差が導入されることになる．これが情報非保存性の誘因の一つになる．しかし，それでも再生画像に対して人間はあまり違和感を覚えないでいられる．そこで，この四捨五入則を拡張して，透かし情報から得たビット系列でｒｏｕｎｄ関数を制御することを考えよう．　
　
（ａ） 直接制御方式３５）　
　埋め込む透かしビットが０ならば，ｒｏｕｎｄ関数の出力を除算値の最近傍の偶数値に設定し，透かしビットが１ならば，その出力を最近傍の奇数値に設定する．きわめて単純な発想であるが，Ｒ（ｕ，ｖ）のどの（ｕ，ｖ）座標に透かしデータを秘匿するかブロックごとに鍵を用いて可変型式に指定する．このときブロック当たり１ビットの埋込みでも，１画面（２５６×２５６画素）では約１Ｋビットの透かし情報を保有できることになる．この方式のポイントは，透かしを埋め込む周波数成分を少なくし，その他をすべて四捨五入則によって量子化するならば秘匿性を十分に保持できることにある．
　
（ｂ） 変換テーブル方式３６）　
　四捨五入則の代わりに，新しい変換テーブルを設けるものである．これは，すでに述べた予測誤差信号に対する透かし情報の埋込みと同じ発想である．
　
（ｃ） 再量子化方式３７）　
　まず透かし情報の埋込み座標（ｕ，ｖ）を（ａ）と同様に秘密鍵系列で指定し，対象周波数成分Ｒ（ｕ0，ｖ0）を取り出す．特別に設定した秘密の埋込み強度パラメータｈでその値を再量子化する．すなわち，
 とする．　
　もし，透かしビットｂが０ならば， Ｒ（ｕ0，ｖ0）に最も近いつぎのような整数値を選び，Ｒ（ｕ0，ｖ0）の代替とする．
 ここに，ｔは最近傍を採択するための自然数である．一方，もしｂ＝１ならば、
 とする．この方法は，乱数系列で埋込み位置を秘匿するとともに，ｈによる再量子化という誤差成分を導入することによって秘匿効果を高めかつ復号率を向上させている．　
　復号に際しては，透かし情報を含有する周波数成分Ｒ（ｕ0，ｖ0）を取り出し，それを秘密に所有するパラメータｈで式（３．１４）により再量子化する．その結果ｑとＲ（ｕ0，ｖ0）との差分ｐ（ｍｏｄ　ｈ）を求めてつぎの判定を行う．　
　０≦ｐ＜ｈ／２　ならば ｂ←０　
　ｈ／２≦ｐ＜ｈ　ならば ｂ←１　
　中村３７）らは，この方法でシミュレーション実験を試みている．その報告によると，２５６×２５６画素２５６階調のgirlに８×８画素の２次元ＤＣＴをかけて，埋込み対象周波数（ｕ0，ｖ0）を８組選んで実験し，表３．３の結果を公表している．再量子化パラメータｈが１０を超えると著しくＳＮ比が降下することがわかる．画像品質保持の立場からすると低周波成分に透かしビットを入れるのでこのあたりが利用限界ではないかと推定される．逆に，ｈを小さくしすぎると透かし情報の復号率が低減することにも注意する．
 』(第５７〜６０頁)　
「（２） 色差成分への埋込み 
　人間の視覚は，白黒濃淡画像に対してはおよそ１００階調，カラー画像では２０００色の範囲で識別する能力をもっているといわれる．しかし，平素から色彩に興味を抱き，注意深く観察している人を除いては，それほどの鑑識能力を保有していない． 
　たとえば，図４．５に見られるように人間の視力限界曲線の示すところによれば，周波数が高くなるほど階調の識別能力は低下していく．この特性を利用したカラー画像の記録方式として多値誤差拡散法がある５６）．この方法を用いると視力限界曲線に近い記録が可能となる．一方，視覚特性からみると，輝度情報は画像のエネルギー成分からなるので人間の目に最も多くの刺激をもたらす．
　したがって，その階調を識別するのは比較的容易である．しかし，色相や彩度に関する情報は，画像の位相成分に相当するので，人間の目に反映する力が弱い．それゆえに，色差情報などの識別能力は輝度レベルに比較し著しく劣っている． 
　図４．５には青−黄間の色差と彩度での周波数に対する識別階調数の変化が示されている５７）．プリンタとしては，輝度の視力限界曲線に沿ってカラー画像の輝度成分に見合う出力の再現性を求められるが，色差や彩度情報の識別限界は，図４．５に示すようにどの周波数域においても輝度レベルより低位にある．したがって， このとき色差情報はオーバースペック状態になってしまい，この輝度との差の部分に見えない記録が可能となる領域が存在する． 
　図４．５を観察すると，この領域は低い周波数帯域よりも高い帯域のほうが大きい．すなわち，高周波色差情報を用いることにより画質劣化を招くことなく，透かし情報を埋め込むことができるのである． 
　この原理に基づいて，関沢５７）は図４．６に示す実験システムを構築してカラー画像の色差信号に透かし情報を埋め込むことを試みている．まず，透かし情報を色差信号で作成し，プリンタの記録信号に変換する．ただし，電子写真式のカラープリンタを仮定しているからシアン（Ｃ），マゼンダ（Ｍ），イエロー（Ｙ）のトナーの重ね合せでカラーを実現する．表現能力の高いフルカラーにするため各色について３００ドット／インチの８階調という多値誤差拡散記録方式を採用している．
　透かし情報をこのように色差記録信号に変換したのち画像信号に付加し，カラープリンタで出力すると，画質劣化を受けずにフルカラー画像を再現できる．カラー自然画像には色差の高域成分が少ないために高周波の透かしを埋め込むと高いＳ／Ｎ比で復号可能であることが報告されている５７）． 
　一方，谷垣ら９５）は人間の色覚モデルにおける（Ｒ，Ｇ，Ｂ）成分から（Ｃｒ，Ｃｇ，Ｙ）成分への中枢神経系の変換過程に注目し，さらに中間的な人工色覚モデルを導入して透かし情報を埋め込む方法を提案している．その原理は，まず，入力画像の三次元カラー画像空間を多数の部分カラー平面で近似させて，媒介的な量子化画像を作成する．その部分カラー平面上の点に拘束条件を設けて，透かしビット情報を埋め込むのである．すなわち，この中間画像の各画素の成分のうち，２成分を拘束し，他の１成分を透かし情報で変調させていると解釈できる．通常の色覚系では識別できない領域で変調をかけているため，出力画像のＳ／Ｎ比は良好であるが，近似カラー平面への分割と埋込み操作に処理負担が大きい．詳細は煩雑にわたるので，文献９５）を参照されたい．」(第１０６〜１０８頁)　
「（２）　空間軸方向の冗長性の利用 
　マクロブロックの動き補償によって得られたフレーム間の差分情報は，そのまま伝送されることなく，図６．４のブロック単位で離散コサイン変換（ＤＣＴ）により圧縮される．ＤＣＴは情報量非保存型の高能率符号化方式であるから，やはり空間軸方向の冗長性を利用して透かし情報を埋め込む機会を得ることができる・その具体的な方法については，すでにＪＰＥＧにおける電子透かし（第４章参照）で述べたようにいくつかのアプローチが開発されている．」(第１３６頁) 
「（２）　空間軸方向の冗長性利用 
　すでに指摘したように， ＭＰＥＧ ２における空間軸方向の冗長性の圧縮方式はＭＰＥＧ １と本質的に同じで，ＤＣＴ処理となっている．したがって，ＤＣＴに対する電子透かしのテクニックはほとんどＭＰＥＧ ２においても利用可能である６５）．」(第１４４頁) 
　
３．１．２．引用例１記載の発明
　引用例１の上記記載について検討する。
 
　第一に、上記「表３．２　量子化テーブルの例」(第５８頁)には「(b)　色差成分用量子化テーブル」という記載があるところから、引用例１の「３．３．２ 周波数領域における量子化誤差の利用」（第５７〜６０頁)には、圧縮された画像データの色差成分に透かし情報を埋め込むことが記載されているといえる。
　第二に、上記「（１） 離散コサイン変換の考え方」（第５７〜５９頁)には「画像の各ブロックを二次元ＤＣＴ変換し、得られた色差成分の空間周波数成分であるＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化」し「量子化データＲ（ｕ，ｖ）を求める」ことが記載されている。
　第三に、上記「（２）透かし情報の埋込み」「（ａ） 直接制御方式」(第５９頁)に記載される「埋め込む透かしビットが０ならば， ｒｏｕｎｄ関数の出力を除算値の最近傍の偶数値に設定し，透かしビットが１ならば，その出力を最近傍の奇数値に設定する．」とは、結局、透かしビットが０ならばｒｏｕｎｄ関数の出力の最下位ビットを０とし、透かしビットが１ならばｒｏｕｎｄ関数の出力の最下位ビットを１とするものである。
　第四に、上記「（２）透かし情報の埋込み」「（ａ） 直接制御方式」(第５９頁)には「Ｒ（ｕ，ｖ）のどの（ｕ，ｖ）座標に透かしデータを秘匿するかブロックごとに鍵を用いて可変型式に指定する」ことが記載されている。
　第五に、上記「３．３．２ 周波数領域における量子化誤差の利用」（第５７〜６０頁)には、これが静止画像に適用するものなのか、動画像に適用するものなのか明示されていないが、上記「（２）　空間軸方向の冗長性の利用」(第１３６頁)、「（２）　空間軸方向の冗長性利用」(第１４４頁)の記載にもみられるように、ＤＣＴ係数に対して透かしを埋め込む手法は、ＤＣＴ変換を行うＪＰＥＧ符号化、ＭＰＥＧ符号化のいずれにもそのまま適用できるものであって、上記「３．３．２ 周波数領域における量子化誤差の利用」（第５７〜６０頁)に記載されるものもＤＣＴ変換を行うものであることを考えると、上記「３．３．２ 周波数領域における量子化誤差の利用」に記載されるものも動画像を対象としたものと認めることができる。 
　
　したがって、引用例１の「３．３．２ 周波数領域における量子化誤差の利用」（第５７〜６０頁)には、以下の発明(以下「引用発明１」という。)が記載されている。
　
「圧縮された動画像データの色差成分に透かし情報を埋込む方法として、画像の各ブロックを二次元ＤＣＴ変換し、得られた色差成分の空間周波数成分であるＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し量子化データＲ（ｕ，ｖ）を求めるときに、Ｒ（ｕ，ｖ）のどの（ｕ，ｖ）座標に透かしデータを秘匿するかブロックごとに鍵を用いて可変型式に指定し、埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む、圧縮された画像データに透かし情報を埋込む方法。」
　
３．２．引用例２
３．２．１．引用例２の記載事項
　当審における平成２５年４月１５日付の拒絶の理由で引用した『上野義人、村上健自「動きベクトル参照型動画像電子透かし方式」情報処理学会論文誌、情報処理学会、2002.08.15発行、第４３巻第８号、p.2511〜2518』(以下「引用例２」という。)には、図面とともに以下の記載がある。
　
「２．動きベクトル参照型動画像電子透かし方式の構成　
　後述する透かし情報埋め込みアルゴリズムを実現する方式構成は，ＭＰＥＧ符号化方式の構成図を一部変更して，図１のように構成できる．　
　動き補償回路で検出された動きベクトルを参照して，動きベクトルが存在する参照元Ｉ−フレームのマクロブロックの画素に透かし情報を直接，画素の輝度成分（Ｙ）や色差成分（ＣｂまたはＣｒ）に埋め込む．　
　透かし情報の埋め込み方法として，奇数，偶数値制御方式，すなわち，　
　
（１）透かし情報が“１”のとき，たとえば，Ｉ−フレームにおける動きベクトル参照元マクロブロックの画素の輝度信号レベル（Ｙ）の値を偶数とする．　
（２）透かし情報が“０”のとき，Ｉ−フレームにおける動きベクトル参照元マクロブロックの画素の輝度信号レベル（Ｙ）の値を奇数とする．　　
　このような奇数，偶数値制御方式で，透かし情報の埋め込み制御を行うことができる．　
　また，透かし情報のフラグビット埋め込み場所として，図１の点線で示すように，どのような動画像フレームにも必ず存在するＤＣＴ変換後の量子化値のＤ．Ｃ成分に透かし情報を埋め込むこともできる．もちろん，ＤＣＴ変換後の量子化値の低周波成分に埋め込む方法も考えられるが，どの低周波数成分に埋め込むかを指定する情報が必要となり，回路構成が複雑になる．　
　このため，画素の輝度成分（Ｙ）と色差成分（ＣｂまたはＣｒ）のＤＣＴ変換後の量子化値のＤ．Ｃ成分に透かし情報を奇数，偶数値制御方式を用いて埋め込むことができる．　
　したがって，透かし情報の埋め込み場所として，Ｉ−フレームの動きベクトル参照元マクロブロックの画素の　
　
（１）輝度成分（Ｙ）　
（２）色差成分（ＣｂまたはＣｒ）輝度成分　
（３）（Ｙ）の量子化値のＤ．Ｃ成分　
（４）色差成分（ＣｂまたはＣｒ）の量子化値のＤ．Ｃ成分　
　
　などが採用できる．　
　このように，透かし埋め込み処理を行ったＩ−フレームをＩ，Ｂ，Ｂ，Ｐ−バッファで埋め込み前のＩ−フレームと入れ替えた後，可変長符号化して出力符号化ストリームを得る方式が構成できる．これらの方法は，ソフトウエア的にリアルタイム処理が可能である．」(第２５１２頁左欄〜右欄)　
　
　
３．２．２．引用例２記載の発明
　引用例２の記載について検討する。
　
　引用例２の上記摘記した以外の部分、すなわち、「３．チェインコードを用いた電子透かし法」「４．２分木アルゴリズムを用いた電子透かし法」「５．実験結果」には、動きベクトルに透かし情報を埋め込むもののみが具体的に記載されているが、上記摘記したように引用例２には「また，透かし情報のフラグビット埋め込み場所として，図１の点線で示すように，どのような動画像フレームにも必ず存在するＤＣＴ変換後の量子化値のＤ．Ｃ成分に透かし情報を埋め込むこともできる．」「このため，画素の輝度成分（Ｙ）と色差成分（ＣｂまたはＣｒ）のＤＣＴ変換後の量子化値のＤ．Ｃ成分に透かし情報を奇数，偶数値制御方式を用いて埋め込むことができる．」との記載があり、それら動きベクトルに透かし情報を埋め込むものを、色差成分（ＣｂまたはＣｒ）の量子化値のＤ．Ｃ成分に埋め込むものと読み替えることができるから、引用例２全体としてみても、動画像フレームの色差成分（ＣｂまたはＣｒ）のＤＣＴ変換後の量子化値のＤ．Ｃ成分に透かし情報を埋め込むことも記載されていると認めることができる。すなわち、引用例２には以下の発明(以下「引用発明２」という。)が記載されている。　
　
「動画像フレームの色差成分（ＣｂまたはＣｒ）のＤＣＴ変換後の量子化値のＤ．Ｃ成分に透かし情報を、透かし情報が“１”のとき色差成分（ＣｂまたはＣｒ）のＤＣＴ変換後の量子化値のＤ．Ｃ成分の値を偶数とし、透かし情報が“０”のとき色差成分（ＣｂまたはＣｒ）のＤＣＴ変換後の量子化値のＤ．Ｃ成分の値を奇数とする、奇数偶数値制御方式を用いて埋め込む、ＭＰＥＧ符号化方式を一部変更した、透かし情報埋め込みアルゴリズム。」 
　
４．対比
　本願発明と引用発明１を比較する。
　
４．１．「ビデオ信号に電子透かしを入れてそこに追加情報を含める方法であって・・・備える方法」
　引用発明１は「圧縮された動画像データの色差成分に透かし情報を埋込む方法」であって、透かし情報を埋込むことによって、圧縮された動画像データに情報を追加するものということができるから、引用発明１と本願発明は「ビデオ信号に電子透かしを入れてそこに追加情報を含める方法・・・備える方法」である点で一致している。
　
４．２．「追加情報を含むビデオ信号において」
　引用発明１は「圧縮された動画像データの色差成分に透かし情報を埋込む方法」であって、色差成分に透かし情報を含む圧縮された動画像データが生成されるものであって、この色差成分に透かし情報を含む圧縮された動画像データは、追加情報を含むビデオ信号ということができるから、引用発明１と本願発明は「追加情報を含むビデオ信号において」という点で一致している。
　
４．３．「前記ビデオ信号のブロック全体にわたるクロミナンス部分の平均から導き出した値の少なくとも１つの選択されたビット位置に、前記追加情報の少なくとも一部を入れることにより、前記ビデオ信号のクロミナンス部分に前記追加情報の少なくとも一部を刻印する工程」
　まず、本願発明の「前記ビデオ信号のブロック全体にわたるクロミナンス部分の平均」「ビット位置」「選択されたビット位置」「選択されたビット位置に、前記追加情報の少なくとも一部を入れることにより・・・前記追加情報の少なくとも一部を刻印する」が、それぞれ、どのような意味なのか、本願明細書の記載を参照して検討する。
　
　第一に、本願発明の「前記ビデオ信号のブロック全体にわたるクロミナンス部分の平均」について、本願明細書段落【００１０】に「本発明の別の実施形態では、動画像符号化専門家会合（ＭＰＥＧ）−１、ＭＰＥＧ−２、ＭＰＥＧ−４など、ＭＰＥＧ標準の１つのような、ビデオのブロック・ベースの周波数領域の符号化を使用する場合、電子透かしを入れたデータのビットの代入は、ブロックのクロミナンス・マトリックスの少なくとも１つの、平均値に対応する、ＤＣ係数の値を調整することにより達成することができる。」との記載があり、この「ＭＰＥＧ標準の１つのような、ビデオのブロック・ベースの周波数領域の符号化」として二次元ＤＣＴ変換を利用するものが良く知られていることからみて、本願発明の「前記ビデオ信号のブロック」とはＭＰＥＧ符号化におけるマクロブロックを指し、また、本願発明の「前記ビデオ信号のブロック全体にわたるクロミナンス部分の平均」とは、ＭＰＥＧ符号化におけるマクロブロックのクロミナンス成分に対して二次元ＤＣＴ変換をおこなったときのＤＣ成分、すなわち、(0,0)成分を指すものと認めることができる。
　第二に、本願発明の「ビット位置」について、本願明細書段落【００４４】に「例えば、電子透かしデータがブロックの選択されたクロミナンス部分の平均の整数部分の最下位ビットで伝えられるべき場合、平均値に加算される必要のある値は０または１である。平均値の整数部分の最下位ビットが、伝えられるべき電子透かしデータ・ビットと既に同じである場合は０が加算され、平均値の整数部分の最下位ビットが、伝えられるべき電子透かしデータ・ビットの補数である場合は１が加算される。電子透かしデータが、ブロックの選択されたクロミナンス部分の平均の整数位置の２番目の最下位ビットで伝えられるべき場合、当該ピクセルに加算されるべきデータの値は−１、０、または１である。平均値の整数部分の２番目の最下位ビットが、伝えられるべき電子透かしデータ・ビットと既に同じである場合は０が加算され、平均値の整数部分の２番目の最下位ビットが、伝えられるべき電子透かしデータ・ビットの補数である場合は１または−１が加算される。１が加算されるか−１が加算されるかは、平均値の整数部分の２番目の最下位ビットをその補数に変更しながら、平均値に対して最小の変更の原因となるのはどちらかによって異なる。２番目の最下位ビットを使用すると、埋め込まれるべきデータが、ＭＰＥＧまたは類似の処理による符号化に耐える可能性が高まる。ブロックの選択されたクロミナンス部分の平均の整数部分の３番目の最下位ビットにデータが入れられるべき場合、当該ピクセルに加算されるべきデータの値は−２、−１、０、１、または２である。平均値の整数部分の３番目の最下位ビットが、伝えられるべき電子透かしデータ・ビットと既に同じである場合は０が加算され、平均値の整数部分の３番目の最下位ビットが、伝えられるべき電子透かしデータ・ビットの補数である場合は、−２、−１、１、または２が加算される。−２、−１、１、または２のどれが加算されるかは、平均値の整数部分の３番目の最下位ビットをその補数に変更しながら、平均値に対して最小の変更の原因となるのはどれかによって異なる。３番目の最下位ビットを使用すると、埋め込まれるべきデータが、適切な結果を達成するために、ＭＰＥＧまたは類似の処理による符号化に耐える可能性が高まる。上記の説明から、当業者は、ユーザまたはシステムにより決定される、さらに上位のビット位置に対して加算されるべき値を容易に決定することができる。」との記載があり、この記載からみて、本願発明の「ビット位置」とは「導き出した値」の中の最下位から最上位のどの「ビット位置」であってもよいものと認めることができる。
　第三に、本願発明の「選択されたビット位置」について、本願明細書段落【００４６】の「当該ブロックに対するクロミナンス部分の値の特定ビット平均、例えば、ビット・マッパー１２３により供給されたデータが刻印される、当該クロミナンス部分に対するＤＣ係数は、ビット・マッパー１２３によって決定される。本発明の実施形態例では、ブロックに対するＤＣ係数の２番目の最下位ビットは、当該ブロックに刻印されることが望まれる特定値で置き換えられる。本発明の別の実施形態では、ＤＣ係数のどのビットが置き換えられるかは、当該ブロックのテクスチャ変動により異なる。」との記載からみて、本願発明の「選択されたビット位置」とは「導き出した値」の「ビット位置」、すなわち、上記「第二に」で述べたように、「導き出した値」の中の最下位から最上位のどの「ビット位置」の中から、「２番目の最下位ビット」のように固定した位置のビットが選択されるものと、「当該ブロックのテクスチャ変動」に基づいた位置のビットが選択されるものの、いずれであっても良いものであって、上記「第二に」と合わせて考えると、審判請求人が平成２５年１０月１８日意見書で主張するように、本願発明の「選択されたビット位置」とは、単に『ある一つの「選択されたビット位置」がある』にすぎないものと認めることができる。
　第四に、本願発明の「選択されたビット位置に、前記追加情報の少なくとも一部を入れることにより・・・前記追加情報の少なくとも一部を刻印する」について、本願明細書段落【０００８】の「本発明の一実施形態では、必要に応じ、電子透かしデータを伝えるべきブロックの選択されたクロミナンス部分の平均値のビットが、電子透かしデータ・ビットの値と同じになるようにするために、ブロックの個々のピクセルの選択されたクロミナンス部分の値を調整することができる。」、段落【０００９】の「本発明の一態様により、電子透かしデータを含むべき平均値のビット位置の値が既に電子透かしデータ・ビットの値と同じ場合、当該ブロックのどのピクセルにも変更は行われない。しかし、電子透かしデータを含むべき平均値のビットの値が、当該ブロックで伝えられるべき電子透かしデータ・ビットの値の補数である場合、ビットを電子透かしデータ・ビットの値に変更する平均値に対する少なくとも最小限の変更が、平均値に行われる。」、段落【００４３】の「本発明の原理により、ビット・マッパー１２３は、各ブロックの複数のクロミナンス部分のうち選択された１つのクロミナンス部分の平均値のビット位置の１つへの電子透かしデータの挿入を制御する。データはそこに刻印され、したがって、そのビット位置のビットと効果的に置き換えられる。」、段落【００４６】の「当該ブロックに対するクロミナンス部分の値の特定ビット平均、例えば、ビット・マッパー１２３により供給されたデータが刻印される、当該クロミナンス部分に対するＤＣ係数は、ビット・マッパー１２３によって決定される。本発明の実施形態例では、ブロックに対するＤＣ係数の２番目の最下位ビットは、当該ブロックに刻印されることが望まれる特定値で置き換えられる。」との記載からみて、本願発明の「選択されたビット位置に、前記追加情報の少なくとも一部を入れることにより・・・前記追加情報の少なくとも一部を刻印する」とは、選択されたビット位置のビットが追加情報の少なくとも一部と同じになるように、選択されたビット位置のビットを追加情報の少なくとも一部と置き換えるものであって、審判請求人が、平成２３年４月２８日付、平成２５年１０月１８日意見書、および、平成２４年６月６日付審判請求書で主張するような、当初の平均値が「１１００」であり、電子透かしデータ部分が「１」であり、電子透かしデータ部分が２番目の最下位ビットに入れられる場合、結果としての新しい値は「１１１０」となり、一方で、もし、電子透かしデータ部分が３番目の最下位ビットに入れられる場合、結果としての新しい値は「１１００」となるような処理を指すものと認めることができる。
　
　次に、これらを前提として、本願発明の「前記ビデオ信号のブロック全体にわたるクロミナンス部分の平均から導き出した値の少なくとも１つの選択されたビット位置に、前記追加情報の少なくとも一部を入れることにより、前記ビデオ信号のクロミナンス部分に前記追加情報の少なくとも一部を刻印する工程」と、引用発明１の「画像の各ブロックを二次元ＤＣＴ変換し、得られた色差成分の空間周波数成分であるＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し量子化データＲ（ｕ，ｖ）を求めるときに、Ｒ（ｕ，ｖ）のどの（ｕ，ｖ）座標に透かしデータを秘匿するかブロックごとに鍵を用いて可変型式に指定し、埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」を対比する。
　
　第一に、引用発明１は「画像の各ブロックを二次元ＤＣＴ変換し、得られた色差成分の空間周波数成分であるＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し量子化データＲ（ｕ，ｖ）を求める」ものであって、上記したように、本願発明の「前記ビデオ信号のブロック全体にわたるクロミナンス部分の平均」とは、ＭＰＥＧ符号化におけるマクロブロックのクロミナンス成分に対して二次元ＤＣＴ変換をおこなったときのＤＣ成分、すなわち、(0,0)成分を指すものであるから、引用発明１の「画像の各ブロックを二次元ＤＣＴ変換し、得られた色差成分の空間周波数成分であるＤＣＴ係数Ｓ（ｕ，ｖ）」の「(0,0)成分」と、本願発明の本願発明の「前記ビデオ信号のブロック全体にわたるクロミナンス部分の平均」が一致する。
　第二に、引用発明１は「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」たものであって、この「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」た結果は「ＤＣＴ係数Ｓ（ｕ，ｖ）」から導き出されたものということができるから、引用発明１の「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」た結果の「(0,0)成分」と本願発明の「前記ビデオ信号のブロック全体にわたるクロミナンス部分の平均から導き出した値」が一致する。
　第三に、上記したように、本願発明の「ビット位置」とは「導き出した値」の中の最下位から最上位のどの「ビット位置」であってもよく、また、本願発明の「選択されたビット位置」とは「導き出した値」の「ビット位置」の中から、「２番目の最下位ビット」のように固定した位置のビットが選択されるものであってもよいと解釈すべきものである。これに対し、引用発明１は「Ｒ（ｕ，ｖ）のどの（ｕ，ｖ）座標に透かしデータを秘匿するかブロックごとに鍵を用いて可変型式に指定し、埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」ものであって、この「ｒｏｕｎｄ関数の出力の最下位ビット」とは、「ｒｏｕｎｄ関数の出力」の中から「最下位ビット」という固定した位置のビットが選択されたものということができるから、引用発明１の「最下位ビット」は本願発明の「選択されたビット位置」であるということができる。更に、本願発明の「選択されたビット位置に、前記追加情報の少なくとも一部を入れる」とは、選択されたビット位置のビットが追加情報の少なくとも一部と同じになるように、選択されたビット位置のビットを追加情報の少なくとも一部と置き換えるものであって、審判請求人が、平成２３年４月２８日付、平成２５年１０月１８日意見書、および、平成２４年６月６日付審判請求書で主張するような、当初の平均値が「１１００」であり、電子透かしデータ部分が「１」であり、電子透かしデータ部分が２番目の最下位ビットに入れられる場合、結果としての新しい値は「１１１０」となり、一方で、もし、電子透かしデータ部分が３番目の最下位ビットに入れられる場合、結果としての新しい値は「１１００」となるような処理を指すものであって、引用発明１の「埋め込む透かしビットが０ならば、ｒｏｕｎｄ関数の出力の最下位ビットを０として出力し、透かしビットが１ならば、ｒｏｕｎｄ関数の出力の最下位ビットを１として出力する」とは、結局、ｒｏｕｎｄ関数の出力の最下位ビットを埋め込む透かしビットで置き換えているということができるから、引用発明１の「埋め込む透かしビット」と本願発明の「追加情報の少なくとも一部」が対応し、全体として、引用発明１の「埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」と本願発明の「選択されたビット位置に、前記追加情報の少なくとも一部を入れることにより・・・前記追加情報の少なくとも一部を刻印する」が一致している。
　第四に、本願発明は、引用発明１の「鍵」に相当するものを有していないのに対し、引用発明１は「鍵」を有し「Ｒ（ｕ，ｖ）のどの（ｕ，ｖ）座標に透かしデータを秘匿するかブロックごとに鍵を用いて可変型式に指定」するものであるが、この引用発明１の「鍵」をＲ(0,0)に「透かしデータを秘匿」するように指定した場合、すなわち、引用発明１における「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」た結果の「(0,0)成分」に対して透かしデータを秘匿するように設定した場合は、引用発明１は「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」た結果の「(0,0)成分」に対して「埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」処理を行うものとなる。そして、上記「第二に」で述べたように、引用発明１の「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」た結果の「(0,0)成分」と本願発明の「前記ビデオ信号のブロック全体にわたるクロミナンス部分の平均から導き出した値」が一致し、上記「第三に」で述べたように、引用発明１の「埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」と本願発明の「選択されたビット位置に、前記追加情報の少なくとも一部を入れることにより・・・前記追加情報の少なくとも一部を刻印する」が一致しているから、結局、引用発明１の「鍵」をＲ(0,0)に「透かしデータを秘匿」するように指定した場合は、引用発明１の「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し量子化データＲ（ｕ，ｖ）を求めるときに、Ｒ（ｕ，ｖ）のどの（ｕ，ｖ）座標に透かしデータを秘匿するかブロックごとに鍵を用いて可変型式に指定し、埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」と本願発明の「前記ビデオ信号のブロック全体にわたるクロミナンス部分の平均から導き出した値の少なくとも１つの選択されたビット位置に、前記追��情報の少なくとも一部を入れることにより、前記ビデオ信号のクロミナンス部分に前記追加情報の少なくとも一部を刻印する」が一致しているということができるが、引用発明１の「鍵」をＲ(0,0)以外の成分に対して透かしデータを秘匿するように設定した場合は、本願発明は「前記ビデオ信号のブロック全体にわたるクロミナンス部分の平均から導き出した値の少なくとも１つの選択されたビット位置に、前記追加情報の少なくとも一部を入れることにより、前記ビデオ信号のクロミナンス部分に前記追加情報の少なくとも一部を刻印する」のに対し、引用発明１は、そのような処理を行っていない点で相違する。
　第五に、引用発明１の「画像の各ブロックを二次元ＤＣＴ変換し、得られた色差成分の空間周波数成分であるＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し量子化データＲ（ｕ，ｖ）を求めるときに、Ｒ（ｕ，ｖ）のどの（ｕ，ｖ）座標に透かしデータを秘匿するかブロックごとに鍵を用いて可変型式に指定し、埋め込む透かしビットが０ならば、ｒｏｕｎｄ関数の出力の最下位ビットを０として出力し、透かしビットが１ならば、ｒｏｕｎｄ関数の出力の最下位ビットを１として出力することによって透かしを埋め込む」処理は「工程」であるということができるから、引用発明１と本願発明は、そのような処理を行う「工程」を有している点で一致している。
　
５．一致点・相違点
　ここで、上記「４．対比」で述べたことをまとめると、本願発明と引用発明１は、以下の点で、一致し、また、相違する。
　
[一致点]
　引用発明１の「鍵」をＲ(0,0)に「透かしデータを秘匿」するように指定した場合は、引用発明１と本願発明はいずれも「ビデオ信号に電子透かしを入れてそこに追加情報を含める方法であって、追加情報を含むビデオ信号において、前記ビデオ信号のブロック全体にわたるクロミナンス部分の平均から導き出した値の少なくとも１つの選択されたビット位置に、前記追加情報の少なくとも一部を入れることにより、前記ビデオ信号のクロミナンス部分に前記追加情報の少なくとも一部を刻印する工程を備える方法」である点。
　
[相違点]
　本願発明は、引用発明１の「鍵」に相当するものを有していないのに対し、引用発明１は「Ｒ（ｕ，ｖ）のどの（ｕ，ｖ）座標に透かしデータを秘匿するかブロックごとに可変型式に指定」できる「鍵」を有しており、引用発明１の「鍵」をＲ(0,0)以外の成分に対して透かしデータを秘匿するように設定した場合は、本願発明は「前記ビデオ信号のブロック全体にわたるクロミナンス部分の平均から導き出した値の少なくとも１つの選択されたビット位置に、前記追加情報の少なくとも一部を入れることにより、前記ビデオ信号のクロミナンス部分に前記追加情報の少なくとも一部を刻印する」のに対し、引用発明１は、そのような処理を行っていない点。
　
６．当審の判断
　引用発明２は「動画像フレームの色差成分（ＣｂまたはＣｒ）のＤＣＴ変換後の量子化値のＤ．Ｃ成分に透かし情報を、透かし情報が“１”のとき色差成分（ＣｂまたはＣｒ）のＤＣＴ変換後の量子化値のＤ．Ｃ成分の値を偶数とし、透かし情報が“０”のとき色差成分（ＣｂまたはＣｒ）のＤＣＴ変換後の量子化値のＤ．Ｃ成分の値を奇数とする、奇数偶数値制御方式を用いて埋め込む、ＭＰＥＧ符号化方式を一部変更した、透かし情報埋め込みアルゴリズム」 であって、引用発明２で透かし情報が埋め込まれる「色差成分（ＣｂまたはＣｒ）のＤＣＴ変換後の量子化値のＤ．Ｃ成分の値」は、引用発明１でいう「ＤＣＴ係数Ｓ（ｕ，ｖ）を表３．２(b)の量子化テーブルに示す対応するステップサイズＱ（ｕ，ｖ）（ｕ，ｖ＝０，１，・・・，７）を用いて、Ｓ（ｕ，ｖ）／Ｑ（ｕ，ｖ）の除算結果が実数値となるものを近隣の整数値にまるめるｒｏｕｎｄ関数を用いて量子化し」た結果の「(0,0)成分」と対応するものであるが、引用例２には上記摘記したように「また，透かし情報のフラグビット埋め込み場所として，図１の点線で示すように，どのような動画像フレームにも必ず存在するＤＣＴ変換後の量子化値のＤ．Ｃ成分に透かし情報を埋め込むこともできる．もちろん，ＤＣＴ変換後の量子化値の低周波成分に埋め込む方法も考えられるが，どの低周波数成分に埋め込むかを指定する情報が必要となり，回路構成が複雑になる．」と記載されているように、引用発明２において、「色差成分（ＣｂまたはＣｒ）のＤＣＴ変換後の量子化値のＤ．Ｃ成分の値」に対して「透かし情報」を埋め込むのは「回路構成が複雑になる」ことを避けるためであって、このように「回路構成が複雑になる」ことを避けるか、それを許容しつつその他の利点を得ることを選ぶかは、本願発明や引用発明１，２が属する技術分野において常に検討しなければならないものであって、その検討の結果、引用発明２と同様の構成、すなわち、引用発明１において、「Ｒ（ｕ，ｖ）のどの（ｕ，ｖ）座標に透かしデータを秘匿するかブロックごとに可変型式に指定」できる「鍵」を省き、常にＲ(0,0)成分に透かしデータを秘匿するように構成することは、当業者が容易になしえたことにすぎない。
　
　また、本願発明は、格別の作用効果を奏するものとも認められない。
　
　したがって、本願発明は、引用発明１，２に基づき当業者が容易に発明できたものである。
　
７．むすび
　以上のとおり、本願発明は、引用例１，２に記載された発明に基づいて当業者が容易に発明をすることができたものであるから、特許法第２９条第２項の規定により特許を受けることができない。
　
　したがって、残る請求項２〜３３に係る発明について検討するまでもなく、本件出願は拒絶をすべきものである。
　
　よって、結論のとおり審決する。